(57)【要約】【解決手段】石膏ボード加工用回転工具１０は、回転軸１１が石膏ボード１２の上面１３に垂直に延びる回転工具であって、１個以上の側面刃１４及び１本以上の切粉排出溝１５を備える錐部１６と、この錐部１６から延ばしたシャンク部１７とからなる。そして、錐部の両テーパー角θは９０．５°〜９１．５°に設定した。【効果】Ｖ字断面溝の壁には切削面の荒れに起因する突起が発生する。この突起は、合わせ部分に発生する１°前後の隙間に収納する。切削面に荒れがあっても、石膏ボードを９０°に正確に折り曲げることができ、仕上がり精度が良くなる。【選択図】図１
0003125166.tif 000002
【実用新案登録請求の範囲】
【請求項１】
回転軸が石膏ボードの上面に対して垂直に延び、石膏ボードにＶ字断面溝を穿つ石膏ボード加工用回転工具であって、この回転工具は、側面刃を備える錐部と、この錐部から延ばしたシャンク部とからなり、前記錐部の両テーパー角が９０．５°〜９１．５°に設定されていることを特徴とする石膏ボード加工用回転工具。
【請求項２】
前記石膏ボートの上面とＶ断面溝の壁とが交わるところの上部コーナー部分を面取りする面取り刃を、前記錐部に備えたことを特徴とする請求項１記載の石膏ボード加工用回転工具。
【考案の詳細な説明】
【技術分野】
【０００１】
本考案は、石膏ボード加工用回転工具に関する。
【背景技術】
【０００２】
石膏ボードは、プラスターボードとも呼ばれ、石膏の両面をボード用原紙で覆った板状成形品である。石膏が防火性能、遮音性能、断熱性能を発揮するため、石膏ボードは、建物の内装材の下地材に好んで使用される。
【０００３】
石膏ボードは、０．９１ｍ×１．８２ｍの定寸で市販されるため、適宜切断した上で駆体壁や天井に取付けられる。
この切断は、カッターナイフでも可能であるが、切断部が長いときには、回転鋸が使用される（例えば、特許文献１参照。）。
【特許文献１】実開平６−３２００４号公報（図１）
【０００４】
一方、下地施工で問題となる箇所が、局部的に室内へ突出する出隅（ですみ）部である。この出隅部に対する従来の下地施工法を図面で説明する。
図７は従来の下地施工法の説明図であり、（ａ）に示すように、駆体壁１０１にＨ形鋼１０２が露出している場合には、このＨ形鋼１０２に薄肉の軽量チャンネル１０３・・・（・・・は複数個を示す。以下同様）を取付ける。
【０００５】
また、上記特許文献１に示される回転鋸を用いて、市販の石膏ボードから石膏ボードの帯板１０４、１０５、１０６を切り出す。そして、これらの帯板１０４、１０５、１０６を矢印のように軽量チャンネル１０３・・・に当てる。
【０００６】
次に、（ｂ）に示すように、ビス１０７・・・で帯板１０４、１０５、１０６を軽量チャンネル１０３・・・に固定する。
帯板１０５が帯板１０４に重なる部分における帯板１０５の端面１０８は、ヤスリを掛けることで、帯板１０４の外面に合わせる。同様に、帯板１０６が帯板１０５に重なる部分における帯板１０６の端面１０９は、ヤスリを掛けることで、帯板１０５の外面に合わせる。
【０００７】
以上に説明した従来の下地施工法には、次に述べる欠点がある。
図７（ｂ）の状態で、端面１０８や端面１０９にヤスリを掛けると、石膏の粉が舞い上がり、作業環境が悪化する。作業環境の点から、下地施工現場でのヤスリ掛けを廃止することが望まれる。
【考案の開示】
【考案が解決しようとする課題】
【０００８】
本考案は、下地施工現場でのヤスリ掛けを廃止することができる石膏ボード加工用回転工具を提供することを課題とする。
【課題を解決するための手段】
【０００９】
請求項１に係る考案は、回転軸が石膏ボードの上面に対して垂直に延び、石膏ボードにＶ字断面溝を穿つ石膏ボード加工用回転工具であって、この回転工具は、側面刃を備える錐部と、この錐部から延ばしたシャンク部とからなり、前記錐部の両テーパー角が９０．５°〜９１．５°に設定されていることを特徴とする。
【００１０】
請求項２に係る考案は、石膏ボートの上面とＶ断面溝の壁とが交わるところの上部コーナー部分を面取りする面取り刃を、錐部に備えたことを特徴とする。
【考案の効果】
【００１１】
請求項１に係る考案では、石膏ボード加工用回転工具で石膏ボードにＶ字断面溝を穿つ。この溝に沿って石膏ボードを折り曲げることで、Ｈ形鋼などを囲うことができる。  下地施工現場では、石膏ボードを折り曲げればよく、帯板の端面が露出することはない。そのため、ヤスリ掛けは不要となる。
【００１２】
錐部の両テーパー角が９０．５°〜９１．５°に設定されている回転工具でＶ字断面溝を穿つと、このＶ字断面溝は９０．５°〜９１．５°の開き角で仕上がる。
一方、Ｖ字断面溝の壁には切削面の荒れに起因する突起が発生する。この突起は、合わせ部分に発生する１°前後の隙間に収納する。この結果、切削面に荒れがあっても、石膏ボードを９０°に正確に折り曲げることができ、仕上がり精度が良くなる。
【００１３】
請求項２に係る考案では、Ｖ字断面溝の上部コーナー部分を面取りする。石膏ボードでは石膏層の上下面を原紙で被う。Ｖ字断面溝を加工する際に、上面側の原紙の切断面が毛羽立って、バリが発生する。しかし、上部コーナー部分を面取りすることで、バリの悪影響を払拭することができる。
【考案を実施するための最良の形態】
【００１４】
本考案を実施するための最良の形態を添付図に基づいて以下に説明する。
図１は本考案に係る石膏ボード加工用回転工具の側面図であり、石膏ボード加工用回転工具１０は、回転軸１１が石膏ボード１２の上面１３に対して垂直に延びる回転工具であって、１個以上の側面刃１４及び１本以上の切粉排出溝１５を備える錐部１６と、この錐部１６から延ばしたシャンク部１７とからなる。
【００１５】
一般に、刃の数が４以上の工具はカッター呼ばれ、刃の数が３以下の工具はルーター又はルーターピットと呼ばれる。本考案の回転工具１０は、カッター、ルーター又はルーターピットを含む回転型刃具の総称である。ただし、回転鋸は回転軸が石膏ボードの上面に平行に延びるため、回転工具１０に含めない。
また、回転工具１０の材質は、超硬が好適であるが、工具鋼など一般に工具に供されている材料であれば、種類は問わない。
【００１６】
石膏ボード１２は、板状の石膏層１８の下面に原紙１９を貼り、上面に原紙２１を貼り合わせてなる。錐部１５は、図面下側の原紙１９を残して石膏層１８をカットし得る高さを有する。そして、錐部の両テーパー角θは９０．５°〜９１．５°に設定した。この設定理由は後述する。
【００１７】
図２は図１の２部拡大図であり、望ましくは、石膏ボートの上面１３とＶ字断面溝の壁２２とが交わるところの上部コーナー部分を面取りする面取り刃２３を、錐部１６（図１）に備える。この面取り刃２３が側面刃１４の延長線とのなす角をα、面取り刃２３が上面１３となす角をβとしたときに、α＋βは約４４°になる。そして、αは（α＋β）の約半分の２０°〜２４°に設定する。
【００１８】
以上に説明した石膏ボード加工用回転工具の作用を次に説明する。
図３は本考案の石膏ボード加工用回転工具の作用説明図であり、（ａ）において、電動機２５に回転工具１０を取付け、毎分数千回転の速度で回転させる。そして、白抜き矢印のように石膏ボード１２に向かわせる。すると、（ｂ）に示すように、Ｖ字断面溝２６を穿つことができる。このＶ字断面溝２６の上部コーナー部分には面取り部２７、２７が形成される。
【００１９】
集塵機で粉塵を処理すれば下地施工現場の空きスペースで溝加工を行うことは可能である。しかし、溝加工は下地施工現場近傍の空き部屋で行うことが望ましい。
【００２０】
図４は下地施工法の一例を示す図であり、（ａ）に示すように、駆体壁２８にＨ形鋼２９が露出している場合には、このＨ形鋼２９に薄肉の軽量チャンネル３１・・・を取付ける。そして、Ｖ字断面溝２６、２６が設けられている石膏ボード１２を臨ませる。
そして、（ｂ）に示すように、石膏ボード１２をＨ形鋼２９に巻き付け、ビス３２・・・で固定する。
【００２１】
石膏ボード１２は折り曲げればよく、端面が露出することはない。そのため、ヤスリ掛けは不要となる。
次に、錐部の両テーパー角θを９０．５°〜９１．５°に設定した理由を説明する。
【００２２】
図５はＶ字断面溝に関する検討図であり、（ａ）に示すように、広がり角がθ１であるＶ字断面溝２６が加工された石膏ボード１２を準備する。Ｖ字断面溝２６の壁２２には、切断面の荒れに起因する突起３３が残っている。なお、錐部の両テーパー角が９０°であれば、溝のθ１も９０°となり、錐部の両テーパー角が９１°であれば、溝のθ１も９１°となる。
【００２３】
（ｂ）は溝のθ１が９０°であった比較例を示し、突起３３が邪魔するために、折り曲げ後の角度δ１は、９１°になった。
（ｃ）は溝のθ１が９１°であった実施例を示し、１°の余裕があるため、突起３３があっても、角度δ２を容易に且つ確実に９０°に保つことができた。
【００２４】
次に、面取りの効果を説明する。
図６は面取りの効果を説明する図であり、（ａ）及び（ｂ）は面取りが無い例、（ｃ）及び（ｄ）は面取りを実施した例を示す。
【００２５】
（ａ）に示すように、原紙２１の切断面が毛羽立って、バリ３４が発生する。すると、（ｂ）に示すように、原紙２１と原紙２１との間にバリ３４挟まって、折り曲げ後の角度δ１が９０°にならないことがある。
対策として、（ｃ）に示すように、上部コーナー部分に面取り部２７を施す。すると、（ｄ）に示すように、バリ３４が収まり、折り曲げ後の角度δ１を９０°にすることができた。
【産業上の利用可能性】
【００２６】
本考案の石膏ボード加工用回転工具は、石膏ボードにＶ字断面溝を穿つ加工に好適である。
【図面の簡単な説明】
【００２７】
【図１】本考案に係る石膏ボード加工用回転工具の側面図である。
【図２】図１の２部拡大図である。
【図３】本考案の石膏ボード加工用回転工具の作用説明図である。
【図４】下地施工法の一例を示す図である。
【図５】Ｖ字断面溝に関する検討図である。
【図６】面取りの効果を説明する図である。
【図７】従来の下地施工法の説明図である。
【符号の説明】
【００２８】
１０…石膏ボード加工用回転工具、１１…回転軸、１２…石膏ボード、１３…石膏ボードの上面、１４…側面刃、１６…錐部、１７…シャンク部、２３…面取り刃、２６…Ｖ字断面溝、θ…錐部の両テーパー角。
【図１】
0003125166.tif 000003
【図２】
0003125166.tif 000004
【図３】
0003125166.tif 000005
【図４】
0003125166.tif 000006
【図５】
0003125166.tif 000007
【図６】
0003125166.tif 000008
【図７】
0003125166.tif 000009